(57)【特許請求の範囲】
【請求項１】
レーザ活性物質を含むコアとこのコアの側面を覆うクラッドとからなる光ファイバ同士を、縦方向(行)及び横方向(列)にそれぞれ順番に並べて前記クラッド同士が光学的に隙間がないように接触するようにし、かつ、前記クラッドよりも屈折率の小さい屈折率を持つ透明材料によって全体を覆って一体に形成してなる光ファイバ束を所定の長さに切断し、前記コア及びクラッドの断面が行列状に配置された両端部を互いにつき合せて互いに一列ずらして光学的に接続し、これによって露出した一方の側の端部の一列の二行目のコア及びクラッドと、同様に露出した他方の側の一列の一行目のコア及びクラッドとをフレキシブル光ファイバで光学的に接続し、同様にして、前記一方の側の端部の一列の三行目のコア及びクラッドと、前記他方の側の一列の二行目のコア及びクラッドとをフレキシブル光ファイバで光学的に接続し、同様にして、前記一方の側の端部の一列の一行目と前記他方の側の一列の最終行目とのコア及びクラッドを残して前記露出した一列の他の全てのコア及びクラッド同士をフレキシブルファイバで接続することによって、前記レーザ活性物質を含むコアとこのコアの側面を覆うクラッドとからなる光ファイバ束を構成する全ての光ファイバが、一つながりの長い光ファイバを形成するようにしたバンドル型マルチコアファイバを構成し、このバンドル型マルチコアファイバ内の光ファイバの前記レーザ活性物質を励起光で励起することによってレーザ発振又は光増幅を行うことを特徴とする光学媒体。
【発明の詳細な説明】
【技術分野】
【０００１】
本発明は、光学媒体、レーザ装置、光増幅器、および光学媒体の製造方法に係り、特に光ファイバレーザ発振器または光導波路レーザ発振器に用いるのに適したものに関する。
【背景技術】
【０００２】
近年、光通信または光加工技術分野においては安価な高出力のレーザ光の発生装置が望まれている。
【０００３】
ところで、従来より光ファイバレーザ発振器または光導波路型レーザ発振器は光を高密度に閉じ込めることでレーザ活性物質と光との相互作用を高め、かつ長さを長くすることで相互作用長を大きくとれるので高い効率をもち、導波モードとしてモードが空間的に限定されているので空間的に高品質のレーザ光を発生することができる。したがって安価でかつ質の良いレーザ光を得ることができる。レーザファイバの優位性を利用した高品質なレーザ光発生の手段としてレーザファイバの側面から励起光を導入する事で励起光の投入総量の拡張性を高めかつ出力レーザ光の集光性を高めることのできるレーザ装置形態が、例えば特開平１０−１３５５４８号公報、特開平１０−１９００９７号公報に提案されている。
【０００４】
これらの方法によれば側面から励起光をレーザ活性イオンまたは色素その他の発光中心の添加領域（通常はコア部）する場合は通常、レーザ活性イオンまたは色素その他の発光中心の添加領域（通常はコア部）の直径(d)に比べて導波路長(L)が非常に長く、L/d＞106以上もとれるので導波路の断面方向から励起光を導入する方法よりも非常に多くの励起エネルギーをファイバまたは導波路内に導入することが可能となる。しかも取り出すレーザ光はファイバの導波構造によって決定されるモードのみであるから近似的にはファイバからの出力光はファイバのコア径までは集光可能である。もし、ファイバがシングルモードのみを伝播するものであれば、取出し光は回折限界まで集光可能となる。
【発明の開示】
【発明が解決しようとする課題】
【０００５】
特開平１０−１３５５４８号公報、特開平１０−１９００９７号公報に示される方法（以下構造体型ファイバレーザとする）は、あらかじめ作製したファイバを、基本的には一つながりのままで巻き付けたり、並べたりするなどして構成する。このとき、必要なファイバ長は数十mに及ぶが、これを切断せず、歩留まり良く作製する事に困難さがあった。
石英ファイバは被覆が無い場合、その強度が経時変化によって非常に低下し、切断の危険性が高く、歩留まりの低下が予測される。また、巻き付けや並べが完了した後、樹脂や無機透明物質でのファイバとファイバとの空隙を埋める、ファイバとファイバを融着するなどの工程が必要であるが、脱泡が困難でそれが散乱源になって効率が落ちる、樹脂では耐熱性と耐レーザパワー性が比較的低く、信頼性を損ねるといった問題を有していた。
【０００６】
本発明の課題は、上述した従来技術の問題点を解消する解消して、歩留まり良く光学媒体を作製する事ができる光学媒体、レーザ装置、光増幅器、及び光学媒体の製造方法を提供することにある。また、側面励起の励起光導入の拡張性を保ちつつしかも空間的に高品質のモードを有する、集光能力が高く、結果として高出力、高輝度なレーザ装置を簡単にかつ高い信頼性で実現できる形態の光学媒体、レーザ装置、光増幅器、及び光学媒体の製造方法を提供することにある。
【課題を解決するための手段】
【０００７】
第１の発明は、励起光を供給したときに、レーザ光または増幅された光を出力光として出力する光学媒体において、前記レーザ光または増幅された光を導光するための導波構造として、複数の導光部と前記導光部の側面を覆うクラッドとを有する励起光吸収部材であって、部材一端部には各導光部の一端が配され、部材他端部には各導光部の他端が配され、前記導光部の少なくとも一部に活性物質を含む励起光吸収部材と、前記励起光吸収部材の部材一端部側または部材他端部側の少なくとも一方に取付けられ、少なくとも２つの導光部が一つながりの光路となるよう、導光部間を光学的に接続する接続導光部を有する接続部材とを備え、前記接続導光部が、前記導光部と等しいまたは略等しい径と開口数を有するか、または前記導光部と等しいまたは略等しいモードフィールド径を有することを特徴とする光学媒体である。
【０００８】
一つの部材で導光部のループを形成するのではなく、励起光吸収部材とは別の部材でループ状の接続部材を形成するようにし、後にこれらを接続して導光部が一つながりの光路となるようしたので、もともと１本の長い導光部を一つながりのままで作製するものと比べて、巻き付けたり、並べたりなどしても切断される可能性が低く、歩留まり良く作製することができる。接続部材の接続導光部の側面を覆うようにクラッドを設け、励起光吸収部材の導光部間を光学的に接続する導波構造をもたせることもできる。
【０００９】
また、接続導光部が導光部と略等しい径と開口数を有するか、導光部と略等しいモードフィールド径を有すると、端面の接続部分における損失を無視しうるほど小さくする事ができる。
【００１０】
また、一般に活性物質が添加されていない導光部の方が、添加されている場合に比べ、損失が低いものが作りやすい。したがって励起光吸収部材以外の部材に、活性物質が無添加のものを使用することができ、そのため全体の損失（発生したレーザ光の）を低下させることができる。
【００１１】
第２の発明は、第１の発明において、励起光吸収部材の側面に、前記クラッドに前記活性物質を励起する励起光を導入する励起光導入口が設けられていることを特徴とする光学媒体である。導光部の側面が導光部よりも屈折率の低い物質で覆われていると、導光部の側面より導入された励起光を導光部に高密度に閉じこめることができる。その結果、側面励起の励起光導入の拡張性を保ちつつしかも空間的に高品質のモードを有する、集光能力が高く、結果として高出力、高輝度なレーザ装置を高い信頼性で実現できる。
【００１２】
第３の発明は、第２の発明において、前記導光部および接続導光部が光ファイバのコアであることを特徴とする光学媒体である。導光体および接続導光部をコアで構成すると、構成を簡素化できる。
【００１３】
第４の発明は、第１〜第３の発明において、励起光吸収部材に接続部材が着脱可能に取り付けられていることを特徴とする光学媒体である。接続部材を容易に着脱できる結合にすることで拡張性を増すことができる。
【００１４】
第５の発明は、第４の発明において、複数の接続部材を有し、励起光吸収部材の部材一端部及び／又は部材他端部に取り付けられる接続部材を交換することにより、光路または出力光の少なくとも一方を変更可能としたことを特徴とする光学媒体である。これによれば出力箇所を容易に増減したりできるので、用途による使い分けが容易になる。
【００１５】
第６の発明は、第１〜第５の発明において、励起光吸収部材の少なくとも一部分がフレキシブルであることを特徴とする光学媒体である。これによれば励起光吸収部材の取扱いが容易となり、所定の形状に成形するのが容易になる。
【００１６】
第７の発明は、第１〜第６の発明において、接続部材の少なくとも一部分がフレキシブルであることを特徴とする光学媒体である。これによれば接続部材の取扱いが容易となる。
【００１７】
第８の発明は、第１〜第７の発明において、入射した励起光を略閉じ込め可能なことを特徴とする光学媒体である。光を閉じ込め可能にしたので、レーザ活性物質をコアに含ませた場合には、活性物質と光との相互作用を高め、また余すところなく利用することができる。
【００１８】
第９の発明は、第１〜第８の発明のいずれかの光学媒体と、前記励起光を発生する励起光源とを有し、前記励起光を光学媒体中の活性物質に供給してレーザ光を出力するようにしたレーザ装置である。これによれば高出力、高輝度なレーザ装置が得られる。
【００１９】
第１０の発明は、第１〜第８の発明のいずれかの光学媒体と、前記励起光を発生する励起光源とを有し、前記励起光を光学媒体中の活性物質に供給して増幅された光を出力するようにした光増幅器である。これによれば増幅度の高い光増幅器が得られる。
【００２０】
第１１の発明は、レーザ光または増幅された光を出力する光学媒体の一部またはすべての部分を製造する光学媒体の製造方法において、ガラスからなる複数の光ファイバ用のプリフォームをバンドルまたはアレイ状に並べて同時に線引きし、側面同士が融着した状態の光ファイバを得、前記光ファイバを所定の長さに切断して、コア部分の少なくとも一部に活性物質を含む光学媒体の一部またはすべての部分とすることを特徴とする光学媒体の製造方法である。プリフォームを複数並べて同時に線引きする事により、全体を容易にガラス一体化成形できる。またコア部分の一部に活性物質を含ませるので、レーザ発振や光増幅を実現できる。
【発明の効果】
【００２１】
本発明によれば、光学媒体を励起光吸収部材と接続部材とに分割して形成し、後に導光体が一つながりになるように接続するようにしたので、一本の長い導光部から光路を形成するものに比べて、歩留まり良く光学媒体を作製する事ができる。また、側面励起の励起光導入の拡張性を保ちつつしかも空間的に高品質のモードを有する、集光能力が高く、結果として高出力、高輝度なレーザ装置を簡単にかつ高い信頼性で実現できる。
【発明を実施するための最良の形態】
【００２２】
以下に本発明の実施の形態を説明する。
【００２３】
構造体型ファイバレーザの作製で障害となっているのがファイバを一つながりにしたまま、折り返して一体型に形成するということにある。一つながりであることからこれらを丸めたり並べたりするときに一箇所でも破断すると、その機能を失う。一つながりでまるめたり、並べたりする事は、そのひとつながりの長さが長いほど困難さが増す。しかし、必要なファイバ長を何らかの方法で短くすると、今度は高い励起光吸収能力を保ちつつ励起光の導入拡張性を保つ事ができなくなる。それは例えば励起光導入箇所での幅の減少、励起光導入箇所の数の制限などのためである。
【００２４】
そこで実施の形態では、長さ的には比較的短く扱いが容易な範囲内でファイバの束（バンドル）或いはファイバアレイを複数個作製し、これらを励起光吸収部材と、レーザ出力ループ部分とに分けた特徴を持つ部品を作製し、後にそれぞれを接合して、結果として一つながりのコアを持つ構造体型ファイバレーザを作製するようにしている。
【００２５】
光学媒体を作製するために、まずレーザファイバのプリフォームを複数本横に束状に、またはアレイ状に並べ、少なくともその端面部分を励起光波長の光に対して透明な物質（無機、有機を問わない）で埋めて一体化するか、あるいはファイバ同士を加熱融着して光学的にクラッドとクラッドの隙間が無いようにする。
【００２６】
図１に、導光部となるドープコア１１とクラッド１５とからなるファイバ同士をアレイ状に並べて加熱融着して、ファイバ間のクラッド１５とクラッド１５の隙間が光学的に無いようにした実施の形態を示す。同図に示すように励起光吸収部材１０と、励起光吸収部材１０で発生した出力レーザがループする接続部材２０（２０Ｌ、２０Ｒ）を2種作製す
る。
【００２７】
励起光吸収部材１０は、クラッド１５よりも小さい屈折率をもつ低屈折率層１２を全面に施したフレキシブルな帯状マルチコアファイバを所定の長さに切断したものである。したがって、帯状マルチコアファイバの一端部には各ドープコア１１の一端が配され、帯状マルチコアファイバの他端部には各ドープコア１１の他端が配される。光学媒体をレーザ装置ないし光増幅器に構成するときは、帯状マルチコアファイバの平面（側面）を横切る一部の低屈折率層１２を除去し、そこに複数のコア１１に対応して複数の石英プリズム１３を設ける。これらの石英プリズム１３から励起光１４を各コア１１に導入するようにする。
【００２８】
上記のように各導光部（各ドープコア）の側面を覆うクラッドが一体に形成されていてもよいし、各クラッドが互いの間で励起光が往き来できるよう光学的に接続されていてもよい。一体化されたクラッド、または互いが光学的に接続されているクラッド全体を覆うように励起光を略閉じ込めるための励起光反射部（例えば、低屈折率層１２）が設けられていることが好ましい。
【００２９】
接続部材２０は、低屈折率被覆層２２を施した接続導光部となる所定長のフレキシブルなファイバ２１を複数本用意し、これらをループ状にして、各ループ状ファイバ２１の一端２１ａを直線上に順に並べて行き、並べ終わったら各ループの他端２１ｂを続けて並べて行く。このようにループ状ファイバ２１の端部２１ａ、２１ｂをアレイ状に並べ、それらの端部を励起光波長の光に対して透明な物質（クラッド）２５で埋めて一体化したものである。この一体化した接続部材２０のアレイ部２３の周面に低屈折率層２２を施し、その端面は励起光吸収部材１０の端面と同形状にして互いに接続可能とする。
【００３０】
左側接続部材２０Ｌと右側接続部材２０Ｒとで異なる点は、右側接続部材２０Ｒでは全ファイバ２１がループを形成しているのに対して、左側接続部材２０Ｌでは両端部がループ状を解かれ、出力取出し用フィードファイバ２４として取り出されている点である。
【００３１】
そして図２に示すように、励起光吸収部材１０の左端面に左側接続部材２０Ｌを接続し、励起光吸収部材１０の右端面に右側接続部材２０Ｒを接続する事によりドープコア１１が一つながりとなった構造体型ファイバレーザを形成する。接続部分は融着してもよいし、光学接着剤でもまた、治具を用いて脱着可能なコネクタ形式としてもよい。出力レーザ取出し用ファイバ２４の一方に反射ミラー２５を取り付けると、他方の出力レーザ取出し用ファイバ２４から出力レーザを取り出せるレーザ装置が構成できる。反射ミラー２５を取り外し、一方の出力レーザ取出し用ファイバ２４から信号光を投入する形態とすれば、他方の出力レーザ取出し用ファイバ２４から増幅された信号を出力する光増幅器として機能する。
【００３２】
ところで、ドープコアが一つながりになるためには図３、図４、図５に説明するようなタイプが考えられる。
【００３３】
図３のタイプは出力取出し用フィードファイバ３２ａ、３２ｂを一端側に集約させた非対象型で、図１または図２に示すものと構成は同じであり、一端側から始まり同じ一端側で終わる螺旋状のループを形成していくタイプである。このタイプでは励起光吸収部材３１に対する接続部材３０は少なくとも2種の構成が必要である。それぞれ、出力取出しル
ープ部３２と、出力光ループ部３３と呼ぶ。一つながりの光路とするために励起光吸収部材３１は、出力取出しループ部３２と、出力光ループ部３３とに次のような関係で接続されている。
【００３４】
出力取出し側において、上から１本目のファイバ１は出力取出し用フィードファイバ３２ａに接続されている。２本目のファイバ２は５本目のファイバ５に接続されている。ファイバ３はファイバ６に接続されている。ファイバ４はファイバ７に接続されている。他方の出力光ループ側において、ファイバ１はファイバ５に接続されている。ファイバ２はファイバ６に接続されている。ファイバ３はファイバ７に接続されている。ファイバ４はファイバ８に接続されている。この接続関係を一般式で表わしたのが図８である。ここで、ｎはファイバの本数である。ｋは自然数（ｋ＝１、２、３、…）で、ｎ＝２ｋの関係がある。上述した図３はｎ＝８とした場合の接続関係になる。
【００３５】
出力取出し側のループ径をｄ1、出力光ループ側のループ径をｄrとすると、それらは下式で表わせる。
【００３６】
ｄ1＝ａ（ｎ／２−１）
ｄr＝ａｎ／２
ただしａはファイバ間距離である。図３のプロトタイプは作製が容易で、ループ部の長さも最小にできる。
【００３７】
図４のタイプは、出力取出し用フィードファイバ４２ａ、４２ｂを両端に振り分けた対象型である。両ループ部４２に共通の部材を利用できる利点がある。
【００３８】
図５のタイプはバンドル型であり、図５（ａ）に示すように、角柱型マルチコアファイバ５２から構成される励起光吸収部材５１と、バンドル型ファイバ５２の両端面の整列したコア５５を複数のファイバ５６で接続するループ部分５３とから構成される。両端面の接続は、１列ずらして接続してコア５５が一つながりのループになるように接続してある。
【００３９】
このバンドル型において、一つながりのループになるように接続するには、例えば図５（ｂ）に示すように接続する。５行１０列（図示例）からなる角柱型マルチコアファイバ５２の両端面を1列右へずらして接触させる。ずれにより露出する一方の端面５１ａの１
行１列のコアに出力取出し用フィードファイバ５３ａを取り付ける。この出力取出し用フィードファイバ５３ａを出発点としてバンドル型ファイバ５２をたどって行くと、ループ５２ａを通って他方の端面５１ｂの１行１列のコアに至り、コア間の接続により一方の端面５１ａの１行２列のコアを通り、そのままループ５２ｂに入る。同様にして順次螺旋状にたどっていくと、矢印で示すように１行目のループの列が右側に推移していく。ループ５２ｊを通ると他方の端面５１ｂの１行１０列のコア端面で断たれる。そのため、このコア端面を一方の端面５１ａの２行１列のコアにファイバ５３ｂで接続して、断たれるのを回避する。同様にして２行目のループ、３行目のループの連続性を確保するために、ファイバ５３ｃ、５３ｄ、５３ｅにより、ずれて互いに接続が断たれているコア間同士を接続する。残った最後の５行１０列にある他方の端面５１ｂのコアに、取出し用フィードファイバ５３ｆを取り付ける。
【００４０】
このタイプでは励起光吸収部材５１に厚味があり、立体的な形状をしているので励起光の導入が容易であり、励起光のある程度の蓄積も可能になる。また、出力光取出し用のフィードファイバ５３ａ、５３ｆの一方に反射ミラーを取り付ければ一端面からのみ出射されるレーザ装置を形成し、一端面に信号光の入力ポートを設ければ増幅器として機能する。
【００４１】
励起光吸収部材には適当な励起光導入ポート（励起光導入口）が設けられる。例えば図６に示すように、励起光吸収部に相当する帯状マルチコアファイバ６３はサポート用円筒ないし円柱などの支持基盤６４に巻き付ける事ができる。巻き付けなどで形を整えた帯状マルチコアファイバ６３には、側面励起とするために適当な励起光導入ポート６２が設けられる。同図では、励起光を投入するために、励起光導入用帯状ファイバ６１を、巻き付けられた帯状マルチコアファイバ６３の側面に、巻回数に対応して複数本設置する。側面励起のためにその励起光導入ポート６２を増設する事はたやすい。励起光導入用帯状ファイバ６１の接続のほか、励起光の投入にはレンズダクトの使用、プリズムの設置などの方法がある。設置場所も帯状マルチコバファイバ６３の側面（薄い方、すなわち表面積の大きい面）から投入する事も可能である。帯状マルチコアファイバ６３の両端部には接続部材として、それぞれ出力取出し側ループ部６６、出力出力光ループ部６７が接続されている。６６ａ、６６ｂは出力取出し用フィードファイバである。
【００４２】
これによれば励起光吸収部材を、例えば線引き、延伸方式などで作製できるので、非常に高い励起パワーにも高い信頼性で対応できる、石英ガラス融着タイプであっても容易に高品質のものが作製できる。また、励起光吸収部材の長さを比較的長くする事もたやすい。
【００４３】
接続部分での接続損失はファイバアレイの接続技術が現在では高度な手法が確立されており、端面の接続部分における損失を無視しうるほど小さくする事が可能である。このとき、接続部分には例えばアイソレータのような光学部部品を挿入する事もできる。本実施形態では、構造体型のレーザ形式を保ちつつ、光路の途中に容易に光学部品、例えば光学スイッチなどの導波路部品、偏光子、過飽和吸収体、二次高調波発生結晶、電気光学素子などを挿入する事により、Ｑスイッチング、モードロッキング、偏光面制御、波長変換などを行なう事ができることも大きな特長となっている。
【００４４】
本実施形態によれば、励起光を主に吸収する部分と、増幅したレーザ光がループするループ部分を別工程で作製し、後に接合させる事で構造体型のファイバレーザを作製している。したがって一つながりのファイバをある任意の形状にする事が実際の作製において制限を受ける事を解消する。作製時、一つながりでなければ、ファイバの束状、アレイ状、導波路形状など比較的容易に作製する事ができる。比較的簡単な方法で作製された部品を導波路の接合技術を利用して組み上げる事により、結果として一つながりのファイバレーザを作製する事ができる。また、接合部分に光学変調素子や波長変換素子などを組み込む事が容易なので、レーザ出力の変調を容易にしかも励起光導入箇所を含む複雑で、デリケートな部分を変更することなくさまざまなタイプのレーザを実現する事ができる。
【００４５】
また、図７に示すように励起光吸収部材７１の一端部に接続するループ状の接続部材である出力取出し用ループ部７２を交換することにより、光路または出力光を変更可能とすることができる。例えば図７（ａ）では、出力取出し用ループ部７２は、７本のループ（〈１〉〜〈７〉）と、２本の取出し用フィードファイバ２ａ、２ｂとから構成される。これに対して図７（ｂ）では、ループを１本減らして全部で６本（〈１〉〜〈６〉）とし、その代わり取出し用フィードファイバ１ｂ、１ａを２本増設して全部で４本としてある。
【００４６】
このように出力取出し側のループを変更する事により、１本の連続したコアに代えて、
コアの全長がほぼ等しい2本の連続したコアが構成でき、同じ出力の4本の出射を取り出す事ができるようになる。接合部分を脱着可能なコネクタタイプにしておけば、この部分だけを脱着、または出力取出しフィードファイバ同士を接合する事により、高出力の１〜２箇所出力タイプを比較的低出力の3箇所以上の出力タイプへ容易に変更でき、用途による
使い分けが容易になる。しかも、この場合、出力光ループ部７３側は変更がなく、共通の部品を使用することができる。
【実施例】
【００４７】
本実施例は励起光吸収部材と出力光ループ部分とに分割した特徴を持つ複数の部品を接合させてコアが少なくとも一つながりになった構成を有しているレーザまたは光増幅器である。
【００４８】
（実施例１）
コア径50μｍ、クラッド径125μｍの、コア内部に0.5at%のNd3+イオンをドープした開
口数0.2の石英系ガラスファイバを40本並列にならべ、互いを接触させながら屈折率1.459の透明光学樹脂を薄く塗布して硬化させた。このように作製した帯状マルチコアファイバ列を励起光吸収部として全長300ｍｍに切り出し、両端面に5°の斜め研磨を施した。これとは別に屈折率１.３８の紫外線硬化樹脂を被覆したファイバを20本並列にならべ、端面
付近は被覆を除去して互いのクラッド部を接触させ、屈折率1.38の紫外線硬化樹脂で固めて５°の斜め研磨を施した。
【００４９】
このパーツは出力光を取り出す側のループ部と単にレーザ出力がループするループ部の2種を作製した（図３の構成）。励起光吸収部材の両端近くには屈折率1.47のほう珪酸ガ
ラスで作製されたプリズムを配置し、プリズムはファイバを埋めた光学樹脂と同じ光学樹脂によって接着した。その後、プリズム以外の部分には屈折率1.38の紫外線硬化樹脂を塗布して励起光が閉じ込められるようにした。励起光吸収部の両端に2種のループ部分をそ
れぞれ接合し、屈折率1.46の光学接着剤で付き合わせ接続した。この時、出力レーザ取出しファイバからの透過光をモニターしながら、これを最大にするようにアライメントした。その後出力レーザ取出しファイバの一方に波長1.06μmの99.9%の反射ミラーを取り付けた。そして励起光吸収部材に取り付けたプリズムから波長810nmのＬＤレーザ光を励起光
として投入したところ、波長1．06μmのレーザ発振を確認した。
【００５０】
（実施例２）
コア径500μm、クラッド径8.0×8.0mm、矩形断面のコア内部に0.5at%のNd3+イオンをドープした開口数0.2の石英系ガラスファイバ用プリフォームロッド1mを４本並列にならべ
、互いを接触させながら、石英ファイバ線引き炉で加熱、延伸して厚さ125μm、幅500μmの帯状マルチコアファイバをおよそ1700m作製した。この時、コア1本あたりのコア径は約8μmとなり、発振波長1.06μmにて完全にシングルモードになる。また、屈折率1.38の紫
外線硬化樹脂をインラインでコーティングした。
【００５１】
このファイバから120mを2本切り出し、両端面を斜め研磨（10°）した。一方、クラッ
ド径125μm円形断面、コア径8μmのファイバを出力光取出しファイバとなるための1本だ
け比較的長いファイバを含む４本のファイバを2本の帯型ファイバの一端面に融着接合し
、2本の帯型ファイバを光学的に接続した。そしてもう一方の端をやはり、クラッド径125μm円形断面、コア径8μmのファイバで、出力光がループするように各々の端面に融着し
た。
【００５２】
そして帯状ファイバを並列に接触させて並べ、図６に示すように、スリット６８を縦に設けた直径100mmφの支持基盤７としての金属製円筒に巻き付けた。その後、スリット部
分の被覆を全部剥がし、そこへ幅1mm厚さ125μm、長さ300mmの励起光導入用ファイバ（開
口数0.15）６１をCO2レーザで融着接続した。励起光導入用ファイバ６１は合計4本接続した。励起光導入用ファイバ６１に波長810nmのＬＤ光をそれぞれ導入したところ、波長1.06μmのレーザ発振を確認した。また、出力されたレーザ光は完全にシングルモード(M2=1)であった。また、ミラーを取り外し、信号光を投入する形態とすれば、本構成は光増幅器をして機能する。
【００５３】
（実施例３）
コア径400μm、クラッド径1.0×1.0mm矩形断面の、コア内部に0.5at%のNd3+イオンをドープした開口数0.2の石英系ガラスファイバ用プリフォームロッド1mを断面形状５×１０
本にならべ、互いを接触させながら、石英ファイバ線引き炉で加熱、延伸して厚さ625μm、幅1.250mmの角柱型マルチコアファイバをおよそ1000m作製した。この時、屈折率1.38の紫外線硬化樹脂をインラインでコーティングした。このファイバから1.8mを切り出し、両端面を垂直研磨した。そして図５に示すように、10列の方向を1列ずらして両端面５１ａ
、５１ｂを接触させ、クラッド径125μmの円形断面、コア径50μmのファイバ５３ｂ〜５
３ｅを用いて前述したようにコア５５が一つながりのループになるように接続した。そして屈折率2.0のテルライトガラスでできた光学プリズム（図示せず）を幅625μmの側面に15ｃｍの間隔で12個設置し、側面に対して45°の角度で幅7mmの810nmのＬＤ平行光を投入
したところ、波長1.06μmのレーザ発振を確認できた。
【００５４】
なお、実施例１〜３において、これらレーザに使用するファイバは石英系ガラスファイバのみならず、非酸化物ガラスや、多成分酸化物ガラス、プラスチックであってもよい。また、コアへのドーパントは、Nd3+以外にも希土類全般および遷移金属イオン、有機色素イオンなども利用できる。
【図面の簡単な説明】
【００５５】
【図１】実施の形態による光学媒体の分解構成図である。
【図２】実施の形態による光学媒体の組立図である。
【図３】実施の形態による接続部材の第１のタイプの説明図である。
【図４】実施の形態による接続部材の第２のタイプの説明図である。
【図５】実施の形態による接続部材の第３のタイプの説明図である。
【図６】実施の形態による円柱状の構造をしたファイバレーザ装置の製造方法を示す説明図である。
【図７】実施の形態による出力取出し側のループの変更の説明図である。
【図８】実施の形態による接続部材の第１のタイプの接続関係を示す説明図である。
【符号の説明】
【００５６】
１０    励起光吸収部材
１１    ドープコア（導光部）
１４    励起光
２０    接続部材
２１    ファイバ
【図１】
0004560574.tif 000002
【図２】
0004560574.tif 000003
【図３】
0004560574.tif 000004
【図４】
0004560574.tif 000005
【図５】
0004560574.tif 000006
【図６】
0004560574.tif 000007
【図７】
0004560574.tif 000008
【図８】
0004560574.tif 000009